(57)【特許請求の範囲】
【請求項１】
盛土をする際に、盛土内に埋設する水平方向の補強材を結合した壁面パネルを順次積み重ねて垂直壁面を形成する補強土擁壁工法において、壁面パネルの裏側に網体で囲繞する緩衝空間を形成し、このようにして裏側を網体で囲繞し、裏側に水平方向の補強材を設けた壁面パネルを設置して盛土を行ない、壁面パネルにかかる盛土の土圧をこの緩衝空間で吸収し、壁面パネルの高さ分だけ盛土を積み上げた状態では補強材は盛土中に埋設され、壁面パネルを上に積み増し、さらに盛土を積み上げ、その後盛土が落ちついた段階で前記緩衝空間内はグリまたはコンクリートで充填することを特徴とした補強土擁壁工法。
【発明の詳細な説明】
【０００１】
【発明の属する技術分野】
本発明は、盛土と擁壁の施工を組み合わせる補強土擁壁工法に関するものである。
【０００２】
【従来の技術】
図５、図６に示すように、盛土１をする際に壁面パネル３により垂直壁面を形成する補強土擁壁工法は、壁面パネル３に結合する水平方向の補強材２を盛土１内に埋設する。図５は傾斜地に平面を造成する場合、図６は平面上に高い構造物を造成する場合で、図示は省略するがこの他にも２つの平面を垂直に区切る場合や用地巾を拡げる場合、長大な盛土斜面を支持する場合などが考えられる。
【０００３】
前記壁面パネル３はＰＣコンクリート版等で形成され、適宜の大きさのものを積み上げる。また、補強材２としては図７に示すような格子状に組んだ鉄筋グリットアンカー４（鉄筋土方式）や図８に示すような支圧プレート５ａを鋼棒の先端に設けたプレートアンカー５（支圧方式）や図示は省略するが合成樹脂製や金属製のネット等などである。
【０００４】
【発明が解決しようとする課題】
しかし、このような補強土擁壁工法では図９に示すように盛土１をなす際に沈下αを生じ、同時に土圧βが壁面パネル３の裏側に掛かる。この沈下αの対策としては補強材２の壁面パネル３の裏側への結合を縦の長穴とこの長穴内を移動するボルトや鋼棒との組合せによるスライドジョイント６として対応できるようにしている。
【０００５】
これに対して壁面パネル３の裏側に掛かる土圧βの対策は何ら施されておらず、上下段に積む壁面パネル３が相互にずれたり、傾いたりして壁面がでこぼこになり垂直に形成できないおそれがあった。なお、このような壁面の傾斜は施工後に修復することは不可能である。
【０００６】
本発明の目的は前記従来例の不都合を解消し、盛土をする際に、盛土内に埋設する水平方向の補強材を結合した壁面パネルを順次積み重ねて垂直壁面を形成する補強土擁壁工法において、壁面パネルに盛土の際の土圧がなるべく掛からないようにして、垂直壁面を精度良く形成できるようにした補強土擁壁工法を提供することにある。
【０００７】
【課題を解決するための手段】
本発明は前記目的を達成するため、盛土をする際に、盛土内に埋設する水平方向の補強材を結合した壁面パネルを順次積み重ねて垂直壁面を形成する補強土擁壁工法において、壁面パネルの裏側に網体で囲繞する緩衝空間を形成し、このようにして裏側を網体で囲繞し、裏側に水平方向の補強材を設けた壁面パネルを設置して盛土を行ない、壁面パネルにかかる盛土の土圧をこの緩衝空間で吸収し、壁面パネルの高さ分だけ盛土を積み上げた状態では補強材は盛土中に埋設され、壁面パネルを上に積み増し、さらに盛土を積み上げ、その後盛土が落ちついた段階で前記緩衝空間内はグリまたはコンクリートで充填することを要旨とするものである。
【０００８】
本発明によれば、盛土の土圧は緩衝空間を形成する網体の面を押圧し、この緩衝空間が変形することで壁面パネル自体に力を加えずに吸収できるので、順次積み重ねて形成する壁面パネルがずれたり、曲がったりするおそれはない。
【０００９】
【発明の実施の形態】
以下、図面について本発明の実施の形態を詳細に説明する。図１〜図３は本発明の補強土擁壁工法の１実施形態を示す各工程の側面図で、前記従来例を示す図９と同一構成要素には同一参照符号を付したものである。
【００１０】
本発明の補強土擁壁工法も前記従来例と同じく、盛土１をする際に、盛土１内に埋設する水平方向の補強材２を結合した壁面パネル３を順次積み重ねて垂直壁面の擁壁を形成する。
【００１１】
本発明は壁面パネル３は裏側を網体７で囲繞し、その内部に緩衝空間８を形成するものとした。この網体７の網目は盛土１の土を止めるほどの細かさのものであり、また、網体７の材質としては可撓性を維持しながら適度の強度を有するものであれば金属製または合成樹脂製のいずれでもよく、形状は上下に開口面を設けるようにしてコの字形または半円形に囲うものとする。
【００１２】
壁面パネル３に端部が結合する水平方向の補強材２は従来と同じく、格子状に組んだ鉄筋グリットアンカーやプレートアンカーや合成樹脂製や金属製のネット等などである。
【００１３】
補強材２が鉄筋グリットアンカーやプレートアンカーの場合は網体７を貫通して壁面パネル３の後方へ伸びるものであり、この補強材２と網体７とは非結合状態でもまたは結合状態でもよい。
【００１４】
このようにして裏側を網体７で囲繞し、裏側に水平方向の補強材２を設けた壁面パネル３を設置して盛土１を行なう。この盛土１は網体７に止められその内部の緩衝空間８に入り込むことはない。
【００１５】
壁面パネル３の高さ分だけ盛土１を積み上げた状態では補強材２は盛土１中に埋設され、図２に示すように壁面パネル３を上に積み増し、さらに盛土１を積み上げていく。
【００１６】
積み上げる際に盛土１は沈下を起こし、また、壁面パネル３の方向へ土圧が掛かろうとするが、沈下に対しては従来例のごとくスライドジョイント６でこの沈下とともに補強材２が変位することで対処でき、土圧に関しては網体７が変形し、緩衝空間８側に凹むことで壁面パネル３にこれが伝わらないようにすることができる。
【００１７】
また、その後盛土１が落ちついた段階で図３に示すように緩衝空間８内にはグリまたはコンクリート９を充填して空間を無くす。これにより盛土１と壁面パネル３との一体化が図れる。
【００１８】
【発明の効果】
以上述べたように本発明の補強土擁壁工法は、盛土をする際に、盛土内に埋設する水平方向の補強材を結合した壁面パネルを順次積み重ねて垂直壁面を形成する補強土擁壁工法において、壁面パネルに盛土の際の土圧がなるべく掛からないようにして、垂直壁面を精度良く形成できるものである。
【図面の簡単な説明】
【図１】  本発明の補強土擁壁工法の１実施形態を示す第１工程の縦断側面図である。
【図２】  本発明の補強土擁壁工法の１実施形態を示す第２工程の縦断側面図である。
【図３】  本発明の補強土擁壁工法の１実施形態を示す第３工程の縦断側面図である。
【図４】  本発明の補強土擁壁工法の１実施形態を示す平面図である。
【図５】  補強土擁壁工法による施工例の一つを示す縦断側面図である。
【図６】  補強土擁壁工法による施工例の一つを示す縦断側面図である。
【図７】  鉄筋土方式の補強土擁壁工法を示す斜視図である。
【図８】  支圧方式の補強土擁壁工法を示す斜視図である。
【図９】  土圧による変形例の説明図である。
【符号の説明】
１…盛土                          ２…補強材
３…壁面パネル                    ４…鉄筋グリットアンカー
５…プレートアンカー              ５ａ…支圧プレート
６…スライドジョイント            ７…網体
８…緩衝空間                      ９…グリまたはコンクリート
【図１】
0003663045.tif 000002
【図２】
0003663045.tif 000003
【図３】
0003663045.tif 000004
【図４】
0003663045.tif 000005
【図５】
0003663045.tif 000006
【図６】
0003663045.tif 000007
【図７】
0003663045.tif 000008
【図８】
0003663045.tif 000009
【図９】
0003663045.tif 000010